(57)【要約】【課題】カムピンの強度低下を回避し、レバーの回動によってムービングプレートを移動させる。【解決手段】レバー６０の嵌合側への回動により、雌側コネクタハウジング３０のカムピン３５による押圧によってムービングプレート８０を進出位置に至らす。レバー６０の離脱側への回動により、第１係合部８８および第２係合部８９がカム溝６４の離脱用カム面６４Ｄに直接または間接に係合することでムービングプレート８０を後退位置に至らす。ムービングプレート８０はカム溝６４の嵌合用カム面６４Ｃとは非係合とされ、第１係合部８８及び第２係合部８９はムービングプレート８０の嵌合凹部８５の開口外縁のうちカム溝６４の嵌合用カム面６４Ｃと対応する側から外れた位置に設けられる。【選択図】図３
2008258081.tif 000002
【特許請求の範囲】
【請求項１】
カム溝を有するレバーと、
フード部を有し、前記レバーを回動可能に支持する雄側コネクタハウジングと、
カムピンを有する雌側コネクタハウジングと、
前記カムピンが進入する嵌合凹部を有し、雄端子金具のタブを貫通させつつ前記フード部に対してその開口側に位置する後退位置とその奥側に位置する進出位置との間を進退可能に組み付けられるムービングプレートとを備え、
前記レバーの嵌合側への回動により、前記カムピンが前記カム溝の嵌合用カム面に摺接して前記両コネクタハウジングを嵌合させるとともに、前記雌側コネクタハウジングによる押圧によって前記ムービングプレートを進出位置に至らし、さらに、
前記レバーの離脱側への回動により、前記カムピンが前記カム溝の離脱用カム面に摺接して前記両コネクタハウジングを離間させるレバー式コネクタであって、
前記ムービングプレートは、前記カム溝の離脱用カム面に直接係合する第１係合部、及び前記カム溝の離脱用カム面に前記カムピンを介して間接的に係合する第２係合部のうちの少なくともいずれか一方を有することにより、前記レバーの離脱側への回動によって前記後退位置に至るようになっており、かつ、
前記第１係合部及び前記第２係合部は、いずれも前記ムービングプレートの前記嵌合凹部の開口外縁のうち前記カム溝の嵌合用カム面と対応する側から外れた位置に設けられ、前記ムービングプレートは、前記カム溝の嵌合用カム面とは非係合とされることを特徴とする請求項１に記載のレバー式コネクタ。
【請求項２】
前記ムービングプレートは前記第２係合部を有し、前記第２係合部は、前記嵌合凹部の開口内縁から前記嵌合凹部内に突出する形態であり、前記レバーの離脱側への回動によって前記カムピンと前記雌側コネクタハウジングの離脱方向で当接可能となっていることを特徴とする請求項１に記載のレバー式コネクタ。
【請求項３】
前記ムービングプレートは前記第１係合部を有し、前記第１係合部は、前記嵌合凹部の開口外縁のうち前記カム溝の離脱用カム面と対応する側から前記カム溝内に突出する形態であり、前記レバーの離脱側への回動によって前記カム溝の離脱用カム面に押圧状態で摺接可能となっていることを特徴とする請求項１または請求項２に記載のレバー式コネクタ。
【請求項４】
前記ムービングプレートは前記第１係合部を有し、前記レバーには、前記ムービングプレートが後退位置にあるときに、前記第１係合部が嵌入する係合凹部が形成されており、
前記ムービングプレートは、前記第１係合部が前記係合凹部内に嵌入することで前記後退位置に移動規制状態で留め置かれる一方、前記レバーの嵌合側への回動に伴って前記第１係合部が前記係合凹部から抜け出ることで前記進出位置側に移動させられることを特徴とする請求項１ないし請求項３のいずれかに記載のレバー式コネクタ。
【発明の詳細な説明】
【技術分野】
【０００１】
本発明は、レバー式コネクタに関する。
【背景技術】
【０００２】
特許文献１に記載のレバー式コネクタは、互いに嵌合・離脱可能な雌雄一対のコネクタハウジングを備え、このうち、雄側コネクタハウジングは雄端子金具のタブが突成されたフード部を有し、フード部の外面にはレバーが回動可能に支持されている。レバーはカム溝を有し、雌側コネクタハウジングはカム溝に係合可能なカムピンを有している。また、フード部内には、雄端子金具のタブを貫通させつつフード部の開口側にある後退位置とフード部の奥側にある進出位置との間を進退可能とされるムービングプレートが組み付けられている。  
ムービングプレートは、カムピンが進入する嵌合凹部を有し、さらに、一対の突片と端板部とから門型をなす嵌合筒部が嵌合凹部の開口外縁の両側に突設されている。嵌合筒部はその全体がカム溝内に進入可能とされ、かつその内部に、カムピンを受け入れ可能な受け溝が形成されている。
【０００３】
カムピンがカム溝及び嵌合筒部に係合した状態でレバーが嵌合側へ回動されると、カムピンまたは嵌合筒部がカム溝の嵌合用カム面に押圧状態で摺接して両コネクタハウジングを嵌合させるとともに、カムピンが嵌合凹部の内面及び受け溝の溝側面を押圧することでムービングプレートを進出位置に至らすようになっている。一方、カムピンがカム溝及び嵌合筒部に係合した状態でレバーが離脱側へ回動されると、カムピンまたは嵌合筒部がカム溝の離脱用カム面に押圧状態で摺接して両コネクタハウジングを離脱させるとともに、カムピンが受け溝の溝側面を押圧することでムービングプレートを後退位置に至らすようになっている。
【特許文献１】特開平１１−６７３３８号公報
【発明の開示】
【発明が解決しようとする課題】
【０００４】
上記の場合、嵌合筒部の受け溝内にカムピンが進入することで双方が合体し、全体として円柱状のカムフォロアが形成されるというものであった。しかし、カムピンを挟んだ両側に嵌合筒部の両突片が位置するため、カムピンが相対的に細くなってその強度が低下するおそれがあった。  
この場合、嵌合筒部を無くすことでカムピンの強度低下の問題を解消できるが、嵌合筒部を完全に無くしてしまうと、レバーの離脱側への回動によってムービングプレートがカムピンに追従することができず、ムービングプレートが後退位置まで戻らないという問題があった。
【０００５】
本発明は上記のような事情に基づいて完成されたものであって、その目的は、カムピンの強度低下を回避し、レバーの回動によってムービングプレートが移動可能となっているレバー式コネクタを提供することにある。
【課題を解決するための手段】
【０００６】
上記の目的を達成するための手段として、請求項１の発明は、カム溝を有するレバーと、フード部を有し、前記レバーを回動可能に支持する雄側コネクタハウジングと、カムピンを有する雌側コネクタハウジングと、前記カムピンが進入する嵌合凹部を有し、雄端子金具のタブを貫通させつつ前記フード部に対してその開口側に位置する後退位置とその奥側に位置する進出位置との間を進退可能に組み付けられるムービングプレートとを備え、前記レバーの嵌合側への回動により、前記カムピンが前記カム溝の嵌合用カム面に摺接して前記両コネクタハウジングを嵌合させるとともに、前記雌側コネクタハウジングによる押圧によって前記ムービングプレートを進出位置に至らし、さらに、前記レバーの離脱側への回動により、前記カムピンが前記カム溝の離脱用カム面に摺接して前記両コネクタハウジングを離間させるレバー式コネクタであって、前記ムービングプレートは、前記カム溝の離脱用カム面に直接係合する第１係合部、及び前記カム溝の離脱用カム面に前記カムピンを介して間接的に係合する第２係合部のうちの少なくともいずれか一方を有することにより、前記レバーの離脱側への回動によって前記後退位置に至るようになっており、かつ、前記第１係合部及び前記第２係合部は、いずれも前記ムービングプレートの前記嵌合凹部の開口外縁のうち前記カム溝の嵌合用カム面と対応する側から外れた位置に設けられ、前記ムービングプレートは、前記カム溝の嵌合用カム面とは非係合とされる構成としたところに特徴を有する。
【０００７】
請求項２の発明は、請求項１に記載のものにおいて、前記ムービングプレートは前記第２係合部を有し、前記第２係合部は、前記嵌合凹部の開口内縁から前記嵌合凹部内に突出する形態であり、前記レバーの離脱側への回動によって前記カムピンと前記雌側コネクタハウジングの離脱方向で当接可能となっているところに特徴を有する。
【０００８】
請求項３の発明は、請求項１または請求項２に記載のものにおいて、前記ムービングプレートは前記第１係合部を有し、前記第１係合部は、前記嵌合凹部の開口外縁のうち前記カム溝の離脱用カム面と対応する側から前記カム溝内に突出する形態であり、前記レバーの離脱側への回動によって前記カム溝の離脱用カム面に押圧状態で摺接可能となっているところに特徴を有する。
【０００９】
請求項４の発明は、請求項１ないし請求項３のいずれかに記載のものにおいて、前記ムービングプレートは前記第１係合部を有し、前記レバーには、前記ムービングプレートが後退位置にあるときに、前記第１係合部が嵌入する係合凹部が形成されており、前記ムービングプレートは、前記第１係合部が前記係合凹部内に嵌入することで前記後退位置に移動規制状態で留め置かれる一方、前記レバーの嵌合側への回動に伴って前記第１係合部が前記係合凹部から抜け出ることで前記進出位置側に移動させられるところに特徴を有する。
【発明の効果】
【００１０】
＜請求項１の発明＞
レバーの嵌合側への回動により雌側コネクタハウジングによって押圧されることでムービングプレートの進出位置への移動が許容され、レバーの離脱側への回動により第１係合部と第２係合部のうちの少なくともいずれか一方がカム溝の離脱用カム面に直接的または間接的に係合することでムービングプレートの後退位置への移動が許容されるから、レバーの回動によってムービングプレートが進出位置と後退位置との間を移動可能となる。  
この場合、第１係合部及び第２係合部は、従来と違って嵌合凹部の開口外縁のうちカム溝の嵌合用カム面と対応する側から外れた位置にあって、ムービングプレートはカム溝の嵌合用カム面とは非係合とされるから、その分、カムピン自体を円柱状にして太くすることでき、カムピンの強度を高めることができる。また、カム溝の嵌合用カム面に対してカムピンのみが係合可能とされるから、レバーの嵌合側への回動時、カム動作の安定性が保証される。
【００１１】
＜請求項２の発明＞
第２係合部は、嵌合凹部の開口内縁から嵌合凹部内に突出する形態であり、レバーの離脱側への回動によってカムピンと雌側コネクタハウジングの離脱方向で当接可能となっているから、カムピンとの係合によってムービングプレートを後退位置に至らすことができる。
【００１２】
＜請求項３の発明＞
第１係合部は、嵌合凹部の開口外縁のうちカム溝の離脱用カム面と対応する側からカム溝内に突出する形態であり、レバーの離脱側への回動によってカム溝の離脱用カム面に押圧状態で摺接可能となっているから、カム溝の離脱用カム面に直接係合してムービングプレートを後退位置に至らすことができる。
【００１３】
この場合、第１係合部と第２係合部とを合わせ持っていれば、万一、第２係合部に不具合が生じても第１係合部によって補完されるから、ムービングプレートを後退位置に確実に至らすことができる。
【００１４】
＜請求項４の発明＞
第１係合部がレバーの係合凹部に嵌入することで後退位置に移動規制状態でムービングプレートが留め置かれる一方、レバーの回動側への回動に伴って第１係合部が係合凹部から抜け出ることでムービングプレートが進出位置側に移動させられるから、第１係合部とは別に、ムービングプレートを後退位置に留め置く専用の位置決め部を設けなくて済み、構成を簡略化できる。
【発明を実施するための最良の形態】
【００１５】
＜実施形態１＞
本発明の実施形態１を図１ないし図１０によって説明する。この実施形態のコネクタは、互いに嵌合・離脱可能な雌雄一対のコネクタハウジング１０，３０と、雄側コネクタハウジング１０に組み付けられるレバー６０と、同じく雄側コネクタハウジング１０に組み付けられるムービングプレート８０とを備え、いずれも合成樹脂材によって構成されている。なお、以下の説明において前後方向については、両コネクタハウジング１０，３０の嵌合面側を前方とする。
【００１６】
雌側コネクタハウジング３０は、図７に示すように、全体として上下方向（高さ方向）に縦長の角ブロック状をなすハウジング本体３１を備えている。ハウジング本体３１は大小３種類のキャビティ３２Ａ，３２Ｂ，３２Ｃを有しており、各キャビティ３２Ａ，３２Ｂ，３２Ｃ内に、雌端子金具（図示せず）が後方から挿入して収容可能となっている。各キャビティ３２Ａ，３２Ｂ，３２Ｃは、上下方向の両端側に位置して大型の雌端子金具が挿入される第１キャビティ群３２Ａと、上下方向の中央より少し下方に位置して小型の雌端子金具が挿入される第３キャビティ群３２Ｃと、第１キャビティ群３２Ａと第３キャビティ群３２Ｃとの間に位置して中型の雌端子金具が挿入される第２キャビティ群３２Ｂとに分けられている。
【００１７】
ハウジング本体３１のうち第３キャビティ群３２Ｃが集合した部分は、キャビティタワー部３３として構成されている。キャビティタワー部３３の周りはムービングプレート８０の周壁部８２が進入可能な正面視して略口の字の凹溝３４に包囲され、この凹溝３４によって第３キャビティ群３２Ｃが上下に位置する第２キャビティ群３２Ｂから分断されている。キャビティタワー部３３の左右の両側面には、前後方向のほぼ中央に、一対のカムピン３５が突出して形成されている。両カムピン３５は、それぞれ断面真円形の円柱状をなし、レバー６０及びムービングプレート８０と係合可能となっている。また、ハウジング本体３１の左右の両側面には、第２キャビティ群３２Ｂと対応する部分の後端寄りの位置に、レバー６０の初期位置における仮係止を解除する一対の解除部３６が突設されている。
【００１８】
雄側コネクタハウジング１０は全体として上下方向に縦長に形成され、図１及び図６に示すように、端子収容部１１と端子収容部１１の前面の周縁から前方に突出するフード部１２とを備えている。端子収容部１１は、パネル３８の取付孔３９に内嵌可能とされ、その外面に、取付孔３９の開口外縁に係止する係止爪１３を有している。フード部１２内には雌側コネクタハウジング３０の略全体が嵌合可能となっている。そして、端子収容部１１は、雌側コネクタハウジング３０側のキャビティ群３２Ａ，３２Ｂ，３２Ｃと対応する位置に、大小３種類のキャビティ群１４Ａ，１４Ｂ，１４Ｃを有しており、大型の雄端子金具１６が第１キャビティ群１４Ａに挿入され、中型の雄端子金具１６が第２キャビティ群１４Ｂに挿入され、小型の雄端子金具１６が第３キャビティ群１４Ｃに挿入されるようになっている。このうち第３キャビティ群１４Ｃと対応する部分は、図４に示すように、サブハウジング１５として構成され、端子収容部１１の本体部分から分離可能となっている。
【００１９】
雄端子金具１６はその先端部にタブ１６Ａを突成させてなり、各タブ１６Ａがフード部１２内に突出して配置されている。フード部１２内には、サブハウジング１５と対応する位置に、ムービングプレート８０が組み付けられている。  
フード部１２の左右の両側外面には、カムピン３５が進入する一対のカムピン案内溝１７が前方に開口して形成されている。また、フード部１２の左右の両側外面には、カムピン案内溝１７の後方で、かつ端子収容部１１寄りの位置に、レバー６０を回動可能に支持する一対の支軸１８が突出して形成されている。
【００２０】
レバー６０は、図６に示すように、幅方向に延出する操作部６１と操作部６１の両端から略平行に突出する一対のアーム部６２とで門型をなし、フード部１２の外面に跨って装着可能となっている。両アーム部６２は板状をなし、図１０に示すように、その外周縁寄りの位置に、支軸１８に嵌合可能な一対の軸孔６３が貫通して形成されている。  
レバー６０は支軸１８（軸孔６３）を中心として初期位置と嵌合位置との間を回動可能とされ、初期位置では操作部６１がフード部１２の開口側に位置し、嵌合位置では操作部６１がフード部１２の奥側に位置し、初期位置から嵌合位置にかけて操作部６１がフード部１２の上外面上方を縦断するようになっている。なお、レバー６０の初期位置は、両コネクタハウジング１０，３０の嵌合状態が解除される離脱位置に相当する。
【００２１】
そして、両アーム部６２の内面には有底のカム溝６４が凹設されている。カム溝６４の入り口は両アーム部６２の外周縁に開口し、カム溝６４の奥端は軸孔６３の近傍に達している。カム溝６４の入り口から途中まではカムピン３５の導入溝６４Ａが直線状に形成され、途中からカム溝６４の奥端にかけてカム作用を発揮するカム作用溝６４Ｂが曲線状に形成されている。
【００２２】
また、カム溝６４の溝面は、レバー６０の嵌合位置側（嵌合側）への回動によってカムピン３５が押圧状態で摺接する嵌合用カム面６４Ｃと、この嵌合用カム面６４Ｃと対向し、レバー６０の初期位置側（離脱側）への戻り方向の回動によってカムピン３５が押圧状態で摺接する離脱用カム面６４Ｄと、嵌合用カム面６４Ｃと離脱用カム面６４Ｄの両奥端同士を連ねるカム底面６４Ｅとからなる。そして、両アーム部６２の内面には、一端が導入溝６４Ａの奥端（カム作用溝６４Ｂの直前位置）の嵌合用カム面６４Ｃに開口する有底の係合凹部６５が略方形に切り欠いて形成されている。この係合凹部６５にはムービングプレート８０の第１係合部８８（後述する）が係入可能となっている。
【００２３】
また、両アーム部６２には、レバー６０が初期位置にあるときに、フード部１２の開口前縁に引っ掛け状態で弾性係止する一対の仮係止片６６が切り欠いて形成されている。レバー６０は仮係止片６６によって初期位置に留め置かれ、解除部３６によって仮係止片６６が係止解除方向に弾性撓みさせられることで嵌合位置側への回動が許容される。また、両アーム部６２には、仮係止片６６とは別に、一対の本係止片６７が切り欠いて形成されている。レバー６０が嵌合位置に至ると、フード部１２の左右の両側外面に設けられた一対の係止突条１９の端縁に本係止片６７が引っ掛け状態で弾性係止し、レバー６０が嵌合位置に留め置かれるようになっている。係止突条１９はレバー６０の回動軌跡に沿った円弧をなし、レバー６０の内面にはこの係止突条１９と嵌合することでレバー６０を回動案内する係止凹溝６８が形成されている。本係止片６７の先端の爪部分はこの係止凹溝６８内に臨んでいる。
【００２４】
続いてムービングプレート８０について説明する。ムービングプレート８０は全体としてキャップ状をなし、図８及び図９に示すように、タブ１６Ａの突出方向と直角な平板状をなす横長方形板状のプレート本体８１と、プレート本体８１の周縁から全周に亘って連続しつつ前方へ角筒状の突出する周壁部８２とから一体に形成される。ムービングプレート８０（プレート本体８１）はフード部１２の開口よりも小さく、その組付位置はフード部１２の上下方向の中央より少し下方であってサブハウジング１５と対応する位置となっている。中型及び大型の雄端子金具１６のタブ１６Ａは、ムービングプレート８０より上方の領域及び下方の領域に配置されている。
【００２５】
プレート本体８１には、板厚方向（前後方向）に貫通する複数の位置決め孔８３が整列して形成されており、各位置決め孔８３に、小型の雄端子金具１６のタブ１６Ａが位置決め状態で貫通されている。  
周壁部８２は、ほぼ水平に配される上壁及び下壁と、ほぼ垂直に配される左右に一対の側壁とからなり、上壁及び下壁によってフード部１２内を３つの空間に仕切っている。この周壁部８２はレバー６０の嵌合に伴って雌側コネクタハウジング３０の凹溝３４に嵌入し、これにより、ムービングプレート８０がキャビティタワー部３３を内嵌しつつ雌側コネクタハウジング３０と合体するようになっている。
【００２６】
そして、ムービングプレート８０は、レバー６０の回動に伴い、フード部１２の開口側に位置する後退位置と、フード部１２の奥側（端子収容部１１側）に位置する進出位置との間を進退可能となっている。ムービングプレート８０が後退位置にあるときには、タブ１６Ａの先端部がプレート本体８１の前面より前方に突出して配置される一方、ムービングプレート８０が進出位置にあるときには、プレート本体８１の後面が端子収容部１１の前面（フード部１２の奥面）に当接してタブ１６Ａが相手側の小型の雌端子金具と正規深さで接続可能となっている。周壁部８２の両側壁の外面には、上下一対ずつの案内リブ８４が前後方向に延出して形成されており、この案内リブ８４がフード部１２の両側内面に形成された案内受け溝２１に嵌合されることで、ムービングプレート８０の移動案内がなされる。
【００２７】
また、周壁部８２の左右の両側壁には、カムピン３５が進入する一対の嵌合凹部８５が切り欠いて形成されている。嵌合凹部８５は、両側壁の前端に開口する略Ｕの字形をなし、フード部１２のカムピン案内溝１７、及びレバー６０のカム溝６４と連通可能となっている。そして、両側壁の外面には、嵌合凹部８５の開口外縁を全周に亘って覆うように配置される一対の覆い板８６が上下の支持部８７を介して架設されている。上下の支持部８７の外面間の距離は、カムピン案内溝１７の溝幅と同じかそれより僅かに小さく、覆い板８６の内面と両側壁の外面との間の距離は、フード部１２のカムピン案内溝１７の周囲における薄壁２２の板厚と同じかそれより僅かに大きい。したがって、ムービングプレート８０は、覆い板８６と両側壁との間にフード部１２の薄壁２２を挟み込むとともに支持部８７がカムピン案内溝１７の溝内側縁に摺接することにより、レバー６０の回動時に遊動規制状態で移動可能となっている。なお、覆い板８６は嵌合凹部８５の開口の内外両面を覆っておらず、嵌合凹部８５の開口は遮蔽されていない。
【００２８】
そして、両側壁の嵌合凹部８５の開口外縁には、レバー６０のカム溝６４の離脱用カム面６４Ｄと対応する位置に、一対の第１係合部８８が突出して形成されている。第１係合部８８は、上下方向について上側の支持部８７とほぼ同じ高さ位置にあって覆い板８６の外面から側方へ短く突出する略方形板状をなし、レバー６０が初期位置にあるときにはレバー６０の係合凹部６５に嵌入することでムービングプレート８０を後退位置に留め置く役割を果たし、レバー６０の回動時、常にはカム溝６４内に遊嵌可能に配置されている。嵌合凹部８５の開口外縁には、レバー６０のカム溝６４の嵌合用カム面６４Ｃと対応する位置を含め、第１係合部８８を除いてカム溝６４内に進入する部分は設けられておらず、ムービングプレート８０では第１係合部８８のみがカム溝６４と係合可能となっている。
【００２９】
また、両側壁の嵌合凹部８５の開口内縁には、両側壁の前端寄りの位置に、上下に一対ずつの第２係合部８９が突出して形成されている。第２係合部８９は、嵌合凹部８５の開口内縁の周囲面から緩やかに隆起する形態であり、それぞれ前後方向について同じ位置に配されている。そして、上下に位置する第２係合部８９の頂点間の距離はカムピン３５の直径より少し小さく設定され、カムピン３５が嵌合凹部８５に進入する際には、上下に位置する第２係合部８９をカムピン３５が弾性的に乗り越えて通過するようになっている。一方、レバー６０の初期位置側（離脱側）への回動により、カムピン３５が嵌合凹部８５から抜け出る方向に移動しようとすると、カムピン３５が第２係合部８９と当接してカムピン３５の抜け出しが規制されるとともに、ムービングプレート８０がこのカムピン３５と連れ立って後退位置側へ移動するようになっている。
【００３０】
次に本実施形態の作用及び効果を説明する。  
まず、支軸１８にレバー６０の軸孔６３を嵌合させることで、雄側コネクタハウジング１０にレバー６０を回動可能に支持させる。また、案内受け溝２１にムービングプレート８０の案内リブ８４を嵌合させるとともに、フード部１２の薄壁２２の外面に覆い板８６を嵌合させることで、雄側コネクタハウジング１０にムービングプレート８０を移動可能に支持させる。続いて、図１に示すように、仮係止片６６をフード部１２の開口前縁に引っ掛け係止させることで、レバー６０を初期位置に留め置き、かつこのレバー６０の初期位置への仮係止に伴い、レバー６０の係合凹部６５に第１係合部８８を嵌入させることで、ムービングプレート８０を後退位置に留め置く。この状態では、図６に示すように、ムービングプレート８０の嵌合凹部８５、フード部１２のカムピン案内溝１７、及びレバー６０のカム溝６４の導入溝６４Ａが、それぞれ上下方向について同じ高さ位置に揃って連通する。
【００３１】
こうしてレバー６０及びムービングプレート８０が組み付けられた雄側コネクタハウジング１０に対して前方から雌側コネクタハウジング３０を嵌合させる。嵌合の初期では、カムピン３５の先端部がカム溝６４の導入溝６４Ａに嵌合し、その後、カムピン３５の根元側が嵌合凹部８５及びカムピン案内溝１７に嵌合する。さらなる嵌合により、雌側コネクタハウジング３０のハウジング本体３１の前面がムービングプレート８０のプレート本体８１の前面に当接または近接する位置に至ると、解除部３６がレバー６０の仮係止片６６と干渉し、それに伴って仮係止片６６が係止解除方向となる外側に弾性撓みさせられ、レバー６０の嵌合位置側への回動が許容される。
【００３２】
この状態でレバー６０を嵌合位置側へ回動させると、係合凹部６５が上方に変位して第１係合部８８から離間し、ムービングプレート８０の後退位置における仮係止が解除される。また、レバー６０の回動によってカムピン３５がカム作用溝６４Ｂの嵌合用カム面６４Ｃに押圧状態で摺接することでカム作用が発揮され、雌側コネクタハウジング３０が軽い操作力でフード部１２の奥側に引き寄せられる。このとき、カムピン３５はカムピン案内溝１７に沿って嵌合方向に変位し、その変位方向で対峙する嵌合凹部８５の奥内面を押圧する。こうしてカムピン３５により押圧されることで、ムービングプレート８０は後退位置から進出位置側に移動させられる。この間、カム溝６４と係合するのはカムピン３５のみであり、第１係合部８８はカム溝６４の溝内に位置している。
【００３３】
レバー６０が嵌合位置に達すると、図２に示すように、本係止片６７が係止突条１９の一端に引っ掛け係止されて、レバー６０が本係止位置に留め置かれる。レバー６０の嵌合位置への本係止に伴い、ムービングプレート８０も進出位置に留め置かれる。こうして両コネクタハウジング１０，３０が正規嵌合されると、雌雄の両端子金具が正規深さで導通可能に接続される。このとき、カムピン３５は、図５に示すように、カム溝６４内でほぼ隙間なく緊密に嵌合している。
【００３４】
一方、メンテナンス等により両コネクタハウジング１０，３０を離間させる際には、本係止片６７を係止解除方向となる外側に弾性撓みさせ、その状態でレバー６０を初期位置側へ回動させる。すると、図３に示すように、カムピン３５がカム作用溝６４Ｂの離脱用カム面６４Ｄに押圧状態で摺接し、これによって雌側コネクタハウジング３０がフード部１２から抜け出る方向に後退させられる。また、カムピン３５が第２係合部８９を離脱方向に押圧することで、ムービングプレート８０が後退位置に移動させられる。
【００３５】
上記の場合において、仮に、第２係合部８９が繰り返しの使用によりだれる等し、カムピン３５と第２係合部８９との係合状態が保てなくなっても、第２係合部８９に代わって、第１係合部８８がカム溝６４の離脱用カム面６４Ｄを押圧状態で直接摺接することとなり、ムービングプレート８０が後退位置に戻る途中で留め置かれるのを防止する。レバー６０が初期位置に戻ると、レバー６０の係合凹部６５にムービングプレート８０の第１係合部８８が嵌入し、ムービングプレート８０が再び後退位置に保持される。
【００３６】
ここで、ムービングプレート８０は、上述したように、レバー６０の嵌合位置側（嵌合側）への回動に伴い、雌側コネクタハウジング３０のカムピン３５によって嵌合方向に押圧されることにより、難なく進出位置に至ることができる。これに対し、ムービングプレート８０は、レバー６０の初期位置側（離脱側）への回動に伴い、カムピン３５がこのムービングプレート８０から離間する方向に変位することにより、上記した第１係合部８８及び第２係合部８９が無いと、カムピン３５との係合を保てなくなって後退位置に自動的に戻れないという事情がある。
【００３７】
この場合、従来のように、嵌合凹部８５の開口外縁の両側（カム溝６４の離脱用カム面６４Ｄ及び嵌合用カム面６４Ｃの両面と対応する側）にカムピン３５の側面周りを包囲する形態の嵌合筒部が突設されていると、この嵌合筒部が直接またはカムピン３５を介して間接的にカム溝６４の離脱用カム面６４Ｄに係合することとなり、雌側コネクタハウジング３０の後退変位に追従してムービングプレート８０を後退位置に至らすことができる。しかし、この場合は、カムピン３５と嵌合筒部との合体によって一のカムフォロアを構成するものであるから、カムピン３５が相対的に細くなってその強度が低下する嫌いがあり、また、カムピン３５の強度を高めようとすると嵌合筒部が大型化し、コネクタ小型化の要請に応えられないという事情がある。
【００３８】
そこで、本発明においては、第１係合部８８がカム溝６４の離脱用カム面６４Ｄに対して直接係合するか、あるいは第２係合部８９がカム溝６４の離脱用カム面６４Ｄに対してカムピン３５を介して間接的に係合する構成とすることにより、レバー６０の回動によるムービングプレート８０の後退位置への移動を可能となし、かつ、第１係合部８８と第２係合部８９を嵌合凹部８５の開口外縁のうちカム溝６４の嵌合用カム面６４Ｃと対応する側から外れた位置に設けることで、第１係合部８８及び第２係合部８９によってカムピン３５の径が制約を受けないようにしたものである。つまり、本実施形態においては、第１係合部８８がムービングプレート８０の嵌合凹部８５の開口外縁のうちカム溝６４の離脱用カム面６４Ｄと対応する位置のみに設けられ、第２係合部８９がムービングプレート８０の嵌合凹部８５の開口内縁に設けられている。そして、これら第１係合部８８及び第２係合部８９がムービングプレート８０を後退位置へ移動させるのに必要最小限の範囲に設定され、ムービングプレート８０が全体としてカム溝６４の嵌合用カム面６４Ｃに非係合とされることで、第１係合部８８及び第２係合部８９を両コネクタハウジング１０，３０の嵌合・離脱のためのカム機構から切り離し、カムピン３５のみにカムフォロアとしての機能をもたせたものである。
【００３９】
これにより、カムピン３５を円柱状にしてカム溝６４の全幅に亘る範囲で太く設定することが可能となり、カムピン３５とカム溝６４との係合代を増大させることで、カム動作も安定性も保証されることとなる。
【００４０】
さらに、第１係合部８８がレバー６０の係合凹部６５に嵌入することでムービングプレート８０が後退位置に移動規制状態で留め置かれる一方、レバー６０の回動側への回動に伴って第１係合部８８が係合凹部６５から抜け出ることでムービングプレート８０が進出位置側に移動させられるから、第１係合部８８とは別に、ムービングプレート８０を後退位置に留め置く専用の位置決め部を設けなくて済み、ムービングプレート８０の構成を簡略化できる。
【００４１】
＜他の実施形態＞
本発明は上記記述及び図面によって説明した実施形態に限定されるものではなく、例えば次のような実施形態も本発明の技術的範囲に含まれる。  
（１）第１係合部と第２係合部のうちいずれか一方のみ設けられるものであってもよい。  
（２）レバーの離脱側への回動により、カムピンが第２係合部を離脱方向に押圧すると同時に、第１係合部がカム溝の離脱用カム面に摺接する構成であってもよい。  
（３）第１係合部とは別に、ムービングプレートを後退位置に留め置く専用の位置決め部が設けられていてもよい。  
（４）ムービングプレートの周壁部における嵌合凹部の上下にスリットを入れることにより、嵌合凹部にカムピンが進入したときに、カムピンが第２係合部と干渉して嵌合凹部がスリット側に拡開する構成であってもよい。これにより、カムピンが第２係合部を通過する際に、第２係合部がだれるのを防止できる。  
（５）レバーの嵌合側への回動により、雌側コネクタハウジングのうちカムピン以外の部分がムービングプレートを進出位置側へ押圧する構成であっても構わない。  
（６）カム溝は、アーム部を板厚方向に貫通する形態であってもよい。  
（７）ムービングプレートは、フード部の開口全体を覆う大きさのプレート本体を備えて構成されてもよい。
【図面の簡単な説明】
【００４２】
【図１】実施形態１のレバー式コネクタにおいて、レバーが初期位置にあるときの要部破断側面図
【図２】レバーが嵌合位置にあるときの要部破断側面図
【図３】レバーを初期位置側へ戻し操作する途中の要部破断側面図
【図４】両コネクタハウジングの嵌合前の横断面図
【図５】両コネクタハウジングの正規嵌合後の横断面図
【図６】レバー及びムービングプレートを組み付けた雄側コネクタハウジングの正面図
【図７】雌側コネクタハウジングの正面図
【図８】ムービングプレートの背面図
【図９】ムービングプレートの側面図
【図１０】レバーの側断面図
【符号の説明】
【００４３】
１０…雄側コネクタハウジング
１２…フード部
３０…雌側コネクタハウジング
３５…カムピン
６０…レバー
６４…カム溝
６４Ｃ…嵌合用カム面
６４Ｄ…離脱用カム面
６５…係合凹部
８０…ムービングプレート
８５…嵌合凹部
８８…第１係合部
８９…第２係合部
【図１】
2008258081.tif 000003
【図２】
2008258081.tif 000004
【図３】
2008258081.tif 000005
【図４】
2008258081.tif 000006
【図５】
2008258081.tif 000007
【図６】
2008258081.tif 000008
【図７】
2008258081.tif 000009
【図８】
2008258081.tif 000010
【図９】
2008258081.tif 000011
【図１０】
2008258081.tif 000012